(57)【要約】【課題】気密性及び断熱性を備えて骨壷内部の結露発生を防止し、軽量で安価な骨壷を提供することである。【解決手段】底部３ａとこの底部３ａから一体に形成される側壁部４ａを備え遺骨を内部に収容可能な容器部２ａと、この容器部２ａに覆設され天板部６ａとこの天板部６ａから一体に形成される側縁部７ａを備える蓋部５ａとを有する骨壷１ａであって、側縁部７ａは，上端部は厚く下端部は薄くなるように形成されて内面側に上部傾斜部８ａを備え、側壁部４ａは，上端部に向かって薄くなるように形成されて外面側に下部傾斜部９ａを備え、上部傾斜部８ａと下部傾斜部９ａが密着して蓋部５ａは容器部２ａに固着されるものである。【選択図】図２
0003166676.tif 000002
【実用新案登録請求の範囲】
【請求項１】
底部とこの底部から一体に形成される側壁部を備え遺骨を内部に収容可能な容器部と、この容器部に覆設され天板部とこの天板部から一体に形成される側縁部を備える蓋部とを有する骨壷であって、前記側縁部は，上端部は厚く下端部は薄くなるように形成されて内面側に上部傾斜部を備え、前記側壁部は，上端部に向かって薄くなるように形成されて外面側に下部傾斜部を備え、前記上部傾斜部と前記下部傾斜部が密着して前記蓋部は前記容器部に固着されることを特徴とする骨壷。
【請求項２】
底部とこの底部から一体に形成される側壁部を備え遺骨を内部に収容可能な容器部と、この容器部に覆設され天板部とこの天板部から一体に形成される側縁部を備える蓋部とを有する骨壷であって、前記側縁部は内面側に雌ねじを備え、前記側壁部は外面側に雄ねじを備え、前記側縁部の雌ねじと前記側壁部の雄ねじが螺合して前記蓋部は前記容器部に固着されることを特徴とする骨壷。
【請求項３】
前記側壁部は、前記側縁部よりも長尺に形成されることを特徴とする請求項２に記載の骨壷。
【請求項４】
前記底部は、外側に人が把持可能な把持部を備えることを特徴とする請求項２又は請求項３に記載の骨壷。
【請求項５】
底部とこの底部から一体に形成される側壁部を備え遺骨を内部に収容可能な容器部と、この容器部に覆設される蓋部とを有する骨壷であって、前記蓋部は，上面よりも下面が小さくなるように形成されて厚み方向に傾斜した上部傾斜部を備え、前記側壁部は，上端部に向かって薄くなるように形成されて内面側に下部傾斜部を備え、前記上部傾斜部と前記下部傾斜部が密着して前記蓋部は前記容器部に固着されることを特徴とする骨壷。
【請求項６】
前記容器部と前記蓋部は発泡樹脂で形成されることを特徴とする請求項１乃至請求項５のいずれか１項に記載の骨壷。
【考案の詳細な説明】
【技術分野】
【０００１】
本考案は、骨壷に関し、特に、気密性と断熱性が高く内部に結露が発生しない骨壷に関する。
【背景技術】
【０００２】
一般に、遺骨は陶磁器製の骨壷に収容されて、墓の内部の納骨室であるカロートに保管されている。そして、陶磁器製の骨壷は、通常、遺骨を収容可能で上部が開口した容器とこの開口部に載置される蓋を備えているが、簡単な構造であるので気密性が低く、外気が容易に侵入し、また、断熱性も低いので、水分を含んだ外気が侵入すると、容器内では結露発生し、容器内に水が溜まり遺骨が損傷するという不具合を抱えていた。そこで、このような不具合を解決するために様々な検討がなされている。
【０００３】
例えば、特許文献１には、「骨壷及び骨壷台」という名称で外気温の変化によって発生する骨壷内部の結露を防止する骨壷及び骨壷台に関する発明が開示されている。
この特許文献１に開示された発明において骨壷は、内表面層が吸湿性を備える断熱材で形成され、蓋部に気密手段が設けられているものである。
断熱材としては、発泡スチロール、グラスウール、断熱性塗料や漆喰等の熱伝導率が小さい材料を用いることができ、これらを骨壷の容器及び蓋の内面側に層状に貼り付けたり、塗装又は塗布したりして断熱層を形成することができる。また、蓋部の気密手段には、蓋と容器との嵌め合わせ部分にパッキンを設けたり、シールテープを巻着したりする手段が挙げられる。したがって、骨壷が保管される環境において、骨壷内の断熱層によって骨壷内部は外気温の影響を受け難く、骨壷の内部の結露発生を防止することができる。また、蓋の気密手段によって外気が入り込むことがないので、外気に含まれる水分の侵入を防止できる。さらに、断熱材に漆喰や炭等の吸湿材料を用いると、骨壷に残存する水分を吸湿することができ、結露防止においてより効果的となる。
【０００４】
また、特許文献２には、「骨壷保存容器」という名称で、外部からの汚染を防止し、良好な保存環境を保つ骨壷保存容器に関する考案が開示されている。
この特許文献２に開示された考案は、骨壷を収容可能で上縁に接着剤を溜める凹溝が形成される容器本体と、下縁に容器本体の凹溝と嵌合する凸条が形成される上蓋とを有するものである。
容器本体と上蓋は、接着剤を介して凹溝と凸条が嵌合して整合し、内部に収容される骨壷を保護する。また、凹溝は接着剤を溜め、且つ、配するガイドとして機能し、接着面を均一にすることができ、凸条は、凹溝に溜まった接着剤を均一に押し広げ、嵌合する凹溝と凸条の隙間全体に接着剤を充当させることができる。さらに、凹溝や凸条を階段状、Ｗ字形やＶ字形に形成すると、接着面を広くして接着性を向上させることもできる。そして、容器本体と上蓋を発泡スチロールや発泡ポリウレタン等の発泡系樹脂を用いて形成すると、断熱性を付与することもできる。このように骨壷保存容器の内部に収容される骨壷は、容器本体と上蓋が接着剤によって隙間なく固定されるので、虫類の侵入等の外部からの汚染を防止するとともに、発泡系樹脂を用いることで、良好な保温及び保湿状態で骨壷を安定して保存することができる。
【０００５】
そして、特許文献３には、「骨壷用保護ケース」という名称で、骨壷を発泡樹脂で覆って骨壷の破損防止及び外部からの浸水防止可能な骨壷用保護ケースに関する考案が開示されている。
この特許文献３に開示された考案は、底板部とこの底板部から一体的に立設され骨壷が収容可能な筒状又は円筒状の本体部と、この本体部に覆設可能な蓋部とを有し、本体部及び蓋部が発泡樹脂で形成されるものである。
本体部と蓋部の重なり合う部分には、接着剤が塗布可能であり、遺骨が収容された骨壷を本体部の中に収容して蓋部を被せると、接着剤によって本体部と蓋部が密着するので墓地内に雨水等の水が浸入しても骨壷等保護ケース内部には水が入ることがなく、骨壷内の遺骨を水による変質から守ることができる。また、本体部及び蓋部は発泡樹脂で形成されているので、衝撃に強く、落下等による骨壷に破損を防止することができる。さらに、本体部及び蓋部には大理石調に装飾することも可能であり、良好な質感を付与することができる。
【先行技術文献】
【特許文献】
【０００６】
【特許文献１】特開２０１０−１３６９６３号公報
【特許文献２】実開平６−４４５３７号公報
【特許文献３】実登第３００６０４２号公報
【考案の概要】
【考案が解決しようとする課題】
【０００７】
しかしながら、上述の従来技術である特許文献１に開示された発明は、骨壷の内面に設けられる断熱層は薄膜であるので、断熱効果が低いという課題があった。
【０００８】
また、特許文献２及び特許文献３に開示された考案は、いずれも骨壷を収容して保護するケースであり、既存の骨壷に利用できるという利点はあるものの既存の骨壷の様々な大きさに合致するのは困難であり、また、骨壷よりも大きく形成されるために嵩張るという課題があった。また、接着剤で蓋と容器を固定するので、開封すると接着剤や容器が破損するので繰返し使用できないという課題もあった。
【０００９】
本考案はかかる従来の事情に対処してなされたものであり、気密性及び断熱性を備えて骨壷内部の結露発生を防止し、軽量で安価な骨壷を提供することを目的とする。
【課題を解決するための手段】
【００１０】
上記目的を達成するため、請求項１記載の考案である骨壷は、底部とこの底部から一体に形成される側壁部を備え遺骨を内部に収容可能な容器部と、この容器部に覆設され天板部とこの天板部から一体に形成される側縁部を備える蓋部とを有する骨壷であって、側縁部は、上端部は厚く下端部は薄くなるように形成されて内面側に上部傾斜部を備え、側壁部は、上端部に向かって薄くなるように形成されて外面側に下部傾斜部を備え、上部傾斜部と下部傾斜部が密着して蓋部は容器部に固着されるものである。
このような構成の骨壷によれば、容器部の開口部に蓋部が覆設され、内部に収容される遺骨は外部から遮断されるという作用を有する。また、蓋部が容器部に覆設される際に、蓋部の側縁部の上部傾斜部の厚い上端部が、容器部の側壁部の下部傾斜部の薄い上端部を押圧するように作用し、上部傾斜部と下部傾斜部が密着して気密性が得られるという作用を有する。
【００１１】
また、請求項２記載の考案は、底部とこの底部から一体に形成される側壁部を備え遺骨を内部に収容可能な容器部と、この容器部に覆設され天板部とこの天板部から一体に形成される側縁部を備える蓋部とを有する骨壷であって、側縁部は内面側に雌ねじを備え、側壁部は外面側に雄ねじを備え、側縁部の雌ねじと側壁部の雄ねじが螺合して蓋部は容器部に固着されるものである。
このような構成の骨壷においては、容器部の開口部に蓋部が覆設されて、容器部の側壁部の雄ねじと蓋部の側縁部の雌ねじが螺合して、蓋部が容器部に強固に固着され、容器部の内部は外部から完全に遮断されるように作用する。
【００１２】
そして、請求項３記載の考案は、請求項２に記載の骨壷において、側壁部は、側縁部よりも長尺に形成されるものである。
このような構成の骨壷においては、請求項２に記載の考案の作用に加えて、側壁部の下端部は、側縁部の下端部よりも下方に突出するように作用する。
【００１３】
さらに、請求項４記載の考案は、請求項２又は請求項３に記載の骨壷において、底部は、外側に人が把持可能な把持部を備えるものである。
このような構成の骨壷においては、請求項２又は請求項３に記載の考案の作用に加えて、底部の把持部は、人が把持して底部を支持させるように作用する。
【００１４】
また、請求項５記載の考案は、底部とこの底部から一体に形成される側壁部を備え遺骨を内部に収容可能な容器部と、この容器部に覆設される蓋部とを有する骨壷であって、蓋部は、上面よりも下面が小さくなるように形成されて厚み方向に傾斜した上部傾斜部を備え、側壁部は、上端部に向かって薄くなるように形成されて内面側に下部傾斜部を備え、上部傾斜部と下部傾斜部が密着して蓋部は容器部に固着されるものである。
このような構成の骨壷においては、容器部の開口部に蓋部が覆設されると、蓋部の上部傾斜部は側壁部の下部傾斜部を押圧しながら密着するように作用し、容器部の内部は外部から完全に遮断されるように作用する。
【００１５】
最後に、請求項６記載の考案は、請求項１乃至請求項５のいずれか１項に記載の骨壷において、容器部と蓋部は発泡樹脂で形成されるものである。
このような構成の骨壷においては、請求項１乃至請求項５のいずれか１項に記載の考案の作用に加えて、発泡樹脂で形成される容器部と蓋部は断熱性を備えるように作用する。
【考案の効果】
【００１６】
以上説明したように、本考案の請求項１に記載の骨壷においては、蓋部の上部傾斜部が容器部の下部傾斜部を押圧して両者が密着して蓋部が容器部に固着されるので、骨壷内部は高い気密性を保持することができる。したがって、外部からの湿気を含んだ外気の侵入を抑止するので、容器部内での結露発生を防止することができ、収容される遺骨を良好な状態で保存することが可能である。
【００１７】
また、本考案の請求項２に記載の骨壷においては、蓋部と容器部は設置される雄ねじと雌ねじの螺合によって確実に固着されて容器部内部の気密性を保持することができ、外気の侵入を抑止して容器部内部を良好な状態に保つことができる。
【００１８】
そして、本考案の請求項３に記載の骨壷においては、容器部の側壁部が蓋部の側縁部よりも下方に突出しているので、突出した容器部の側壁部及び底部を把持して、蓋部の螺合及び螺合の解除を容易に行うことができる。
【００１９】
さらに、本考案の請求項４に記載の骨壷においては、容器部の底部に把持部を備えているので、把持部を把持しながら容器部と蓋部の螺合及び螺合の解除を簡単に行うことができる。
【００２０】
また、本考案の請求項５に記載の骨壷においては、蓋部の上部傾斜部が容器部の下部傾斜部を押圧しながら密着して蓋部を容器部に固着するので、容器部内では高い気密性が得られ、外部からの汚染がない良好な状態を保つことができる。
【００２１】
最後に、本考案の請求項６に記載の骨壷においては、容器部と蓋部を発泡樹脂で形成することによって、断熱性が向上し、容器部内部の結露を完全に防止することができる。また、耐衝撃性に優れているので、落下等によって収容される遺骨が破損することを防止できる。さらに、汎用樹脂を用いると安価な骨壷を製造することができる。
【図面の簡単な説明】
【００２２】
【図１】本考案の第１の実施の形態に係る骨壷の外形図である。
【図２】第１の実施の形態に係る骨壷の断面図である。
【図３】本考案の第２の実施の形態に係る骨壷の断面図である。
【図４】本考案の第３の実施の形態に係る骨壷の外形図である。
【図５】第３の実施の形態に係る骨壷の断面図である。
【図６】第３の実施の形態に係る骨壷の底面を示す概念図である。
【図７】本考案の第４の実施の形態に係る骨壷の外形図である。
【図８】第４の実施の形態に係る骨壷の断面図である。
【考案を実施するための形態】
【００２３】
以下に、本考案に係る骨壷の第１の実施の形態を図１及び図２を参照しながら説明する（請求項１及び請求項６に対応）。
図１は、本考案の第１の実施の形態に係る骨壷の外形図である。
図１において、骨壷１ａは、遺骨を収容可能で円筒形状の容器部２ａとこの容器部２ａに覆設される円筒形状の蓋部５ａで構成されており、容器部２ａは底部３ａとこの底部３ａから一体に形成される側壁部４ａを備え、蓋部５ａは天板部６ａとこの天板部６ａから一体に形成される側縁部７ａを備えている。骨壷１ａの容器部２ａ及び蓋部５ａは、発泡スチロールや発泡ポリウレタン等の発泡樹脂で形成されており、軽量で、耐衝撃性及び高断熱性を備え、しかも、安価に製造することができる。
また、発泡樹脂を用いた場合、発泡樹脂の表面を塗装等によって装飾することによって、従来の陶磁器製の骨壷のような外観や墓石と同様な意匠を具備させることができる。例えば、外表面にテフロン（登録商標）樹脂を吹き付けたり、さらに、その上に御影石の細かい粒子をアクリルシリコン樹脂等の塗料に混ぜて塗布したりすることが可能である。
なお、骨壷１ａの形状は特に限定されるものでなく、円筒形状以外にも四角形状等でもよい。
【００２４】
次に、図２は、第１の実施の形態に係る骨壷の断面図である。
図２において、骨壷１ａの断面をみると、蓋部５ａの側縁部７ａは、厚みが上下端部で異なっており、上端部では厚く下端部では薄くなるように形成されており、上端部から下端部に向けて内周が広がるような上部傾斜部８ａを備えている。すなわち、蓋部５ａの側縁部７ａ内面は天板部６ａ側に向けて縮径する構造となっている。
一方、容器部２ａの側壁部４ａの上端部では、上端部に向けて厚みが薄くなっており、外周が側壁部４ａの上端部に向けて小さくなるような下部傾斜部９ａを備えている。すなわち容器部２ａの側壁部４ａの外面は上端部に向けて縮径する構造となっている。
蓋部５ａを容器部２ａに覆設する際には、まず、蓋部５ａの側縁部７ａの下端部が容器部２ａの上端部の開口に被せられ、続いて、蓋部５ａの上部傾斜部８ａはその下端部が下部傾斜部９に当接して下方に移動するが、上部傾斜部８ａは徐々に厚みが変わっているので、上部傾斜部８ａの厚い部分が下部傾斜部９ａの薄い部分を内側に押圧しながら移動して覆設完了位置で停止する。
したがって、上部傾斜部８ａによって内側に押圧される下部傾斜部９ａは外側に向けて元の位置に戻ろうとする力が作用して両者は完全に密着して、蓋部５ａは容器部２ａに強固に固着される。但し、容器部２ａは弾性を備える材料で形成することが好ましい。また、上部傾斜部８ａ及び下部傾斜部９ａの両方又はいずれか一方に滑り止め加工を施して、さらに密着性を向上させることもできる。なお、上部傾斜部８ａ及び下部傾斜部９ａは緩やかに傾斜する面を備えるものであり、階段形状等の段差を備えるものではない。また、符号１４ａは収容部であり、遺骨を収容する空間である。
このように本第１の実施の形態では、蓋部５ａが容器部２ａに隙間なく完全に密着して固着されるので、気密性が高く、外気が収容部１４ａに入り込むことがなく、特に、水分を含んだ外気も遮断するので、収容部１４ａ内での結露の発生を抑止することができ、収容部１４ａに収容される遺骨は良好な状態で保存することができる。また、容器部２ａ及び蓋部５ａを発泡樹脂等の断熱材料で形成することによって、断熱性が向上するので、収容部１４ａは外気温の変化の影響を受け難く、結露が防止されるとともに、温度変化による遺骨の変質を防止することができる。そして、耐衝撃性を備えているので、落下等によって衝撃が加わった場合でも、発泡樹脂が衝撃を吸収して、収容される遺骨の損傷を防止することができる。
【００２５】
次に、本考案に係る骨壷の第２の実施の形態を、図３を参照しながら説明する（特に、請求項２、請求項３及び請求項６に対応）。
図３は、本考案の第２の実施の形態に係る骨壷の断面図である。
図３において、骨壷１ｂは、遺骨が収容可能な収容部１４ｂを備える円筒形状の容器部２ｂとこの容器部２ｂの開口部に覆設される円筒形状の蓋部５ｂを有している。また、容器部２ｂは底部３ｂと底部３ｂから一体に形成される側壁部４ｂから構成され、側壁部４ｂの上方の外周面には雄ねじ１０ｂが形成されている。そして、蓋部５ｂは天板部６ｂと天板部６ｂから一体に形成される側縁部７ｂから構成され、側縁部７ｂの内周面には、雄ねじ１０ｂと螺合可能な雌ねじ１１ｂが形成されている。したがって、雄ねじ１０ｂと雌ねじ１１ｂが螺合することによって蓋部５ｂは容器部２ｂに強固に固着されることができる。
なお、容器部２ｂ及び蓋部５ｂは発泡スチロール等の発泡樹脂で形成されており、雄ねじ１０ｂ及び雌ねじ１１ｂについては、発泡樹脂で一体的に形成してもよいし、また、他の材料を用いた形成物を設置するようにしてもよい。また、側壁部４ｂは側縁部７ｂよりも長尺に形成されて側壁部４ｂは側縁部７ｂの下方に突出しており、雄ねじ１０ｂと雌ねじ１１ｂの螺合操作時には、容器部２ｂの側壁部４ｂ及び底部３ｂを把持することができる。
このように本第２の実施の形態では、螺合によって容器部２ｂに蓋部５ｂを固着するので、着脱が容易である一方で、固着状態では蓋部５ｂが容器部２ｂから不意に外れることはなく、運搬等において収容される遺骨を安定して保護することができる。また、気密性も高く、収容部１４ｂの汚染や結露を防止することが可能であり、特に、断熱材料で形成することによって結露を効果的に防止することができる。また、側壁部４ｂは側縁部７ｂよりも長尺に形成されているので、突出した側壁部４ｂ及び底部３ｂを把持することによって簡単に蓋部５ｂを回転することができ、着脱操作が容易になっている。
【００２６】
続いて、本考案に係る骨壷の第３の実施の形態を図４乃至図６を参照しながら説明する（特に、請求項２乃至請求項４、請求項６に対応）。
図４は、本考案の第３の実施の形態に係る骨壷の外形図であり、図５は、第３の実施の形態に係る骨壷の断面図である。
図４及び図５において、骨壷１ｃは、円筒形状の容器部２ｃと蓋部５ｃを有し、容器部２ｃは底部３ｃと底部３ｃから一体に形成される側壁部４ｃにより内部に収容部１４ｃを備え、また、側壁部４ｃの下方の外周面には雄ねじ１０ｃが設けられ、底部３ｃには後述する把持部１２と凹部１３ａ，１３ｂが設けられている。また、蓋部５ｃは天板部６ｃと天板部６ｃから一体に形成される側縁部７ｃを備え、側縁部７ｃの内周面には雄ねじ１０ｃに螺合可能な雌ねじ１１ｃが設置されており、蓋部５ｃはこれらのねじの螺合によって容器部２ｃに固着されている。螺合による固着の仕組みは、前述の第２の実施の形態と同様であり、蓋部５ｃは強固に容器部２ｃに固定されて、気密性を備えて収容部１４ｃの汚染を防止することができる。
そして、図示するように、蓋部５ｃの側縁部７ｃは長尺に形成されて、側縁部７ｃは容器部２ｃの側壁部４ｃを覆っている。したがって、骨壷１ｃの側周面は、雄ねじ１０ｃと雌ねじ１１ｃの螺合による密閉機能が発揮されることはもちろん、側壁部４ｃと側縁部７ｃが二重構造となるため、断熱性能を向上させることができる。また、特に、容器部２ｃ及び蓋部５ｃを発泡樹脂等の断熱材料で形成すると、さらに高い断熱特性を具備させることが可能である。
【００２７】
ここで、把持部について図６を用いて説明する。図６は、第３の実施の形態に係る骨壷の底面を示す概念図である。
図６において、底部３ｃには、内側に凹んだ一対の凹部１３ａ，１３ｂによって人が把持可能な把持部１２が形成されている。したがって、把持部１２を把持すると、容器部は片手で簡単に支持することができ、容器部と蓋部の螺合の操作を容易に行うことができる。特に、図５に示す骨壷１ｃでは、側縁部７ｃが長尺に形成されているので、容器部２ｃの底部３ｃを把持することが困難であるので、把持部１２を設置することによって蓋部５ｃの着脱を簡単に行うことができる。なお、把持部１２の形状は特に限定されるものではなく、人が把持可能で、図５に示す骨壷１ｃが傾斜することなく載置可能であれば、どのような形状であってもよい。
このように本第３の実施の形態では、蓋部の容部への固定方法に雄ねじと雌ねじを用いた螺合を採用しているので、蓋部は容器部へ確実に固着され、容器部内部の気密性を保持することができる。また、蓋部の側縁部を長尺に形成し、容器部の側壁部と二重で骨壷の側周面を覆っているので、断熱性が向上し、収容部の結露発生を効果的に防止することができる。そして、底部に把持部を備えているので、蓋部の着脱操作を容易且つ確実に行うことが可能である。
【００２８】
次に、本考案に係る骨壷の第４の実施の形態を図７及び図８を参照しながら説明する（特に、請求項５及び請求項６に対応）。
図７は、本考案の第４の実施の形態に係る骨壷の外形図であり、図８は、第４の実施の形態に係る骨壷の断面図である。
図７及び図８において、骨壷１ｄは、底部３ｄと底部３に一体に形成される側壁部４ｄを備える容器部２ｄと、この容器部２ｄに覆設される蓋部５ｄで構成されている。蓋部５ｄは、上面よりも下面が小さくなっており厚み方向に内部に向かって傾斜する上部傾斜部８ｄが形成されている。
そして、容器部２ｄの側壁部４ｄの上端部には、上部傾斜部８ｄに当接可能な下部傾斜部９ｄが形成されており、容器部２ｄに蓋部５ｄを覆設する際には、蓋部５ｄを容器部２ｄの開口部に押し当てて下方に押すと、上部傾斜部８ｄが下部傾斜部９ｄに沿って下方に移動して密着し、蓋部５ｄが容器部２ｄに固着される。したがって、収容部１４ｄは気密性を保持して外気から遮断され、収容される遺骨の良好な保存環境を維持することができる。
また、容器部２ｄ及び蓋部５ｄを発泡樹脂等の断熱材料で形成すると、断熱性が向上し、収容部１４ｄ内での結露発生を防止することができる。なお、本実施の形態では、骨壷１ｄは円筒形状であるが、形状は特に限定されず、四角形状等でもよい。
このように本第４の実施の形態では、簡単な構造で収容部１４ｄの気密性を具備させることができ、より安価に高性能な骨壷１ｄを提供することが可能である。
なお、第２の実施の形態、第３の実施の形態及び第４の実施の形態においては、第１の実施の形態と同様にテフロン（登録商標）樹脂を吹き付けたりして、意匠性を付与することが可能である。
【産業上の利用可能性】
【００２９】
以上説明したように、請求項１乃至請求項６に記載された本考案は、気密性及び断熱性が高く遺骨を良好な状態で保持可能な骨壷を提供可能であり、一般家庭等において利用可能である。
【符号の説明】
【００３０】
１ａ〜１ｄ…骨壷  ２ａ〜２ｄ…容器部  ３ａ〜３ｄ…底部  ４ａ〜４ｄ…側壁部  ５ａ〜５ｄ…蓋部  ６ａ〜６ｃ…天板部  ７ａ〜７ｃ…側縁部  ８ａ，８ｄ…上部傾斜部  ９ａ，９ｄ…下部傾斜部  １０ｂ，１０ｃ…雄ねじ  １１ｂ，１１ｃ…雌ねじ  １２…把持部  １３ａ，１３ｂ…凹部  １４ａ〜１４ｄ…収容部
【図１】
0003166676.tif 000003
【図２】
0003166676.tif 000004
【図３】
0003166676.tif 000005
【図４】
0003166676.tif 000006
【図５】
0003166676.tif 000007
【図６】
0003166676.tif 000008
【図７】
0003166676.tif 000009
【図８】
0003166676.tif 000010
【手続補正書】
【提出日】平成23年1月12日(2011.1.12)
【手続補正１】
【補正対象書類名】実用新案登録請求の範囲
【補正対象項目名】全文
【補正方法】変更
【補正の内容】
【実用新案登録請求の範囲】
【請求項１】
底部とこの底部から一体に形成される側壁部を備え遺骨を内部に収容可能な容器部と、この容器部に覆設され天板部とこの天板部から一体に形成される側縁部を備える蓋部とを有する骨壷であって、前記側縁部は内面側に雌ねじを備え、前記側壁部は外面側に雄ねじを備え、前記側縁部の雌ねじと前記側壁部の雄ねじが螺合して前記蓋部は前記容器部に固着されることを特徴とする骨壷。
【請求項２】
前記側壁部は、前記側縁部よりも長尺に形成されることを特徴とする請求項１に記載の骨壷。
【請求項３】
前記底部は、外側に人が把持可能な把持部を備えることを特徴とする請求項１又は請求項２に記載の骨壷。
【請求項４】
前記容器部と前記蓋部は発泡樹脂で形成されることを特徴とする請求項１乃至請求項３のいずれか１項に記載の骨壷。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】変更
【補正の内容】
【００１１】
上記目的を達成するため、請求項１記載の考案である骨壷は、底部とこの底部から一体に形成される側壁部を備え遺骨を内部に収容可能な容器部と、この容器部に覆設され天板部とこの天板部から一体に形成される側縁部を備える蓋部とを有する骨壷であって、側縁部は内面側に雌ねじを備え、側壁部は外面側に雄ねじを備え、側縁部の雌ねじと側壁部の雄ねじが螺合して蓋部は容器部に固着されるものである。
このような構成の骨壷においては、容器部の開口部に蓋部が覆設されて、容器部の側壁部の雄ねじと蓋部の側縁部の雌ねじが螺合して、蓋部が容器部に強固に固着され、容器部の内部は外部から完全に遮断されるように作用する。
【手続補正４】
【補正対象書類名】明細書
【補正対象項目名】００１２
【補正方法】変更
【補正の内容】
【００１２】
そして、請求項２記載の考案は、請求項１に記載の骨壷において、側壁部は、側縁部よりも長尺に形成されるものである。
このような構成の骨壷においては、請求項１に記載の考案の作用に加えて、側壁部の下端部は、側縁部の下端部よりも下方に突出するように作用する。
【手続補正５】
【補正対象書類名】明細書
【補正対象項目名】００１３
【補正方法】変更
【補正の内容】
【００１３】
さらに、請求項３記載の考案は、請求項１又は請求項２に記載の骨壷において、底部は、外側に人が把持可能な把持部を備えるものである。
このような構成の骨壷においては、請求項１又は請求項２に記載の考案の作用に加えて、底部の把持部は、人が把持して底部を支持させるように作用する。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
最後に、請求項４記載の考案は、請求項１乃至請求項３のいずれか１項に記載の骨壷において、容器部と蓋部は発泡樹脂で形成されるものである。
このような構成の骨壷においては、請求項１乃至請求項３のいずれか１項に記載の考案の作用に加えて、発泡樹脂で形成される容器部と蓋部は断熱性を備えるように作用する。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
以上説明したように、本考案の請求項１に記載の骨壷においては、蓋部と容器部は設置される雄ねじと雌ねじの螺合によって確実に固着されて容器部内部の気密性を保持することができ、外気の侵入を抑止して容器部内部を良好な状態に保つことができる。
【手続補正１０】
【補正対象書類名】明細書
【補正対象項目名】００１８
【補正方法】変更
【補正の内容】
【００１８】
そして、本考案の請求項２に記載の骨壷においては、容器部の側壁部が蓋部の側縁部よりも下方に突出しているので、突出した容器部の側壁部及び底部を把持して、蓋部の螺合及び螺合の解除を容易に行うことができる。
【手続補正１１】
【補正対象書類名】明細書
【補正対象項目名】００１９
【補正方法】変更
【補正の内容】
【００１９】
さらに、本考案の請求項３に記載の骨壷においては、容器部の底部に把持部を備えているので、把持部を把持しながら容器部と蓋部の螺合及び螺合の解除を簡単に行うことができる。
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
最後に、本考案の請求項４に記載の骨壷においては、容器部と蓋部を発泡樹脂で形成することによって、断熱性が向上し、容器部内部の結露を完全に防止することができる。また、耐衝撃性に優れているので、落下等によって収容される遺骨が破損することを防止できる。さらに、汎用樹脂を用いると安価な骨壷を製造することができる。
【手続補正１４】
【補正対象書類名】明細書
【補正対象項目名】００２３
【補正方法】変更
【補正の内容】
【００２３】
以下に、本考案に係る骨壷の第１の実施の形態を図１及び図２を参照しながら説明する。
図１は、本考案の第１の実施の形態に係る骨壷の外形図である。
図１において、骨壷１ａは、遺骨を収容可能で円筒形状の容器部２ａとこの容器部２ａに覆設される円筒形状の蓋部５ａで構成されており、容器部２ａは底部３ａとこの底部３ａから一体に形成される側壁部４ａを備え、蓋部５ａは天板部６ａとこの天板部６ａから一体に形成される側縁部７ａを備えている。骨壷１ａの容器部２ａ及び蓋部５ａは、発泡スチロールや発泡ポリウレタン等の発泡樹脂で形成されており、軽量で、耐衝撃性及び高断熱性を備え、しかも、安価に製造することができる。
また、発泡樹脂を用いた場合、発泡樹脂の表面を塗装等によって装飾することによって、従来の陶磁器製の骨壷のような外観や墓石と同様な意匠を具備させることができる。例えば、外表面にテフロン（登録商標）樹脂を吹き付けたり、さらに、その上に御影石の細かい粒子をアクリルシリコン樹脂等の塗料に混ぜて塗布したりすることが可能である。
なお、骨壷１ａの形状は特に限定されるものでなく、円筒形状以外にも四角形状等でもよい。
【手続補正１５】
【補正対象書類名】明細書
【補正対象項目名】００２５
【補正方法】変更
【補正の内容】
【００２５】
次に、本考案に係る骨壷の第２の実施の形態を、図３を参照しながら説明する（特に、請求項１、請求項２及び請求項４に対応）。
図３は、本考案の第２の実施の形態に係る骨壷の断面図である。
図３において、骨壷１ｂは、遺骨が収容可能な収容部１４ｂを備える円筒形状の容器部２ｂとこの容器部２ｂの開口部に覆設される円筒形状の蓋部５ｂを有している。また、容器部２ｂは底部３ｂと底部３ｂから一体に形成される側壁部４ｂから構成され、側壁部４ｂの上方の外周面には雄ねじ１０ｂが形成されている。そして、蓋部５ｂは天板部６ｂと天板部６ｂから一体に形成される側縁部７ｂから構成され、側縁部７ｂの内周面には、雄ねじ１０ｂと螺合可能な雌ねじ１１ｂが形成されている。したがって、雄ねじ１０ｂと雌ねじ１１ｂが螺合することによって蓋部５ｂは容器部２ｂに強固に固着されることができる。
なお、容器部２ｂ及び蓋部５ｂは発泡スチロール等の発泡樹脂で形成されており、雄ねじ１０ｂ及び雌ねじ１１ｂについては、発泡樹脂で一体的に形成してもよいし、また、他の材料を用いた形成物を設置するようにしてもよい。また、側壁部４ｂは側縁部７ｂよりも長尺に形成されて側壁部４ｂは側縁部７ｂの下方に突出しており、雄ねじ１０ｂと雌ねじ１１ｂの螺合操作時には、容器部２ｂの側壁部４ｂ及び底部３ｂを把持することができる。
このように本第２の実施の形態では、螺合によって容器部２ｂに蓋部５ｂを固着するので、着脱が容易である一方で、固着状態では蓋部５ｂが容器部２ｂから不意に外れることはなく、運搬等において収容される遺骨を安定して保護することができる。また、気密性も高く、収容部１４ｂの汚染や結露を防止することが可能であり、特に、断熱材料で形成することによって結露を効果的に防止することができる。また、側壁部４ｂは側縁部７ｂよりも長尺に形成されているので、突出した側壁部４ｂ及び底部３ｂを把持することによって簡単に蓋部５ｂを回転することができ、着脱操作が容易になっている。
【手続補正１６】
【補正対象書類名】明細書
【補正対象項目名】００２６
【補正方法】変更
【補正の内容】
【００２６】
続いて、本考案に係る骨壷の第３の実施の形態を図４乃至図６を参照しながら説明する（特に、請求項１乃至請求項４に対応）。
図４は、本考案の第３の実施の形態に係る骨壷の外形図であり、図５は、第３の実施の形態に係る骨壷の断面図である。
図４及び図５において、骨壷１ｃは、円筒形状の容器部２ｃと蓋部５ｃを有し、容器部２ｃは底部３ｃと底部３ｃから一体に形成される側壁部４ｃにより内部に収容部１４ｃを備え、また、側壁部４ｃの下方の外周面には雄ねじ１０ｃが設けられ、底部３ｃには後述する把持部１２と凹部１３ａ，１３ｂが設けられている。また、蓋部５ｃは天板部６ｃと天板部６ｃから一体に形成される側縁部７ｃを備え、側縁部７ｃの内周面には雄ねじ１０ｃに螺合可能な雌ねじ１１ｃが設置されており、蓋部５ｃはこれらのねじの螺合によって容器部２ｃに固着されている。螺合による固着の仕組みは、前述の第２の実施の形態と同様であり、蓋部５ｃは強固に容器部２ｃに固定されて、気密性を備えて収容部１４ｃの汚染を防止することができる。
そして、図示するように、蓋部５ｃの側縁部７ｃは長尺に形成されて、側縁部７ｃは容器部２ｃの側壁部４ｃを覆っている。したがって、骨壷１ｃの側周面は、雄ねじ１０ｃと雌ねじ１１ｃの螺合による密閉機能が発揮されることはもちろん、側壁部４ｃと側縁部７ｃが二重構造となるため、断熱性能を向上させることができる。また、特に、容器部２ｃ及び蓋部５ｃを発泡樹脂等の断熱材料で形成すると、さらに高い断熱特性を具備させることが可能である。
【手続補正１７】
【補正対象書類名】明細書
【補正対象項目名】００２８
【補正方法】変更
【補正の内容】
【００２８】
次に、本考案に係る骨壷の第４の実施の形態を図７及び図８を参照しながら説明する。
図７は、本考案の第４の実施の形態に係る骨壷の外形図であり、図８は、第４の実施の形態に係る骨壷の断面図である。
図７及び図８において、骨壷１ｄは、底部３ｄと底部３に一体に形成される側壁部４ｄを備える容器部２ｄと、この容器部２ｄに覆設される蓋部５ｄで構成されている。蓋部５ｄは、上面よりも下面が小さくなっており厚み方向に内部に向かって傾斜する上部傾斜部８ｄが形成されている。
そして、容器部２ｄの側壁部４ｄの上端部には、上部傾斜部８ｄに当接可能な下部傾斜部９ｄが形成されており、容器部２ｄに蓋部５ｄを覆設する際には、蓋部５ｄを容器部２ｄの開口部に押し当てて下方に押すと、上部傾斜部８ｄが下部傾斜部９ｄに沿って下方に移動して密着し、蓋部５ｄが容器部２ｄに固着される。したがって、収容部１４ｄは気密性を保持して外気から遮断され、収容される遺骨の良好な保存環境を維持することができる。
また、容器部２ｄ及び蓋部５ｄを発泡樹脂等の断熱材料で形成すると、断熱性が向上し、収容部１４ｄ内での結露発生を防止することができる。なお、本実施の形態では、骨壷１ｄは円筒形状であるが、形状は特に限定されず、四角形状等でもよい。
このように本第４の実施の形態では、簡単な構造で収容部１４ｄの気密性を具備させることができ、より安価に高性能な骨壷１ｄを提供することが可能である。
なお、第２の実施の形態、第３の実施の形態及び第４の実施の形態においては、第１の実施の形態と同様にテフロン（登録商標）樹脂を吹き付けたりして、意匠性を付与することが可能である。
【手続補正１８】
【補正対象書類名】明細書
【補正対象項目名】００２９
【補正方法】変更
【補正の内容】
【００２９】
以上説明したように、請求項１乃至請求項４に記載された本考案は、気密性及び断熱性が高く遺骨を良好な状態で保持可能な骨壷を提供可能であり、一般家庭等において利用可能である。